(57)【特許請求の範囲】
【請求項１】
左右の鍔部と垂下部及び平らな底部から構成する長尺な金属材からなる皿状体であって、
前記底部の長手方向に沿って等間隔に先端を尖鋭部とした複数個の剣先ボルトが下方に向けて垂下状に形成され、
前記底部に等間隔に複数個の位置決め兼用水抜き穴が設けられていることを特徴とする建築用吊下げ金具。
【請求項２】
少なくとも一方の鍔部の下面に、
皿状体の長手方向の長さ寸法の１／２を示す刻印が施されていることを特徴とする請求項１記載の建築用吊下げ金具。
【請求項３】
平面から見て左右両端と中央部とに幅広部を備える帯状体であって、
前記各幅広部の上面に複数個の小突起が形成されると共に、前記左右両端の幅広部に続く幅狭部に等間隔に位置決め用突起及びボルト逃げ穴とがそれぞれ形成され、
且つ、前記帯状体の下面にハンドルが設けられていることを特徴とする建築用施工治具。
【請求項４】
金属製折板材を構築するＨ形鋼などの取付け面に、長手方向中心部に沿う横方向の墨出し線とスタート位置を示す墨出し線とを描く工程と、
前記２つの墨出し線に沿って、請求項１又は２に記載された１本目の建築用吊下げ金具を配して前記取付け面に溶着させる工程と、
続く２本目の前記建築用吊下げ金具を１本目の右端側に前記長手方向の墨出し線に沿わせて配する工程と、
隣接し合う１本目及び２本目との前記建築用吊下げ金具の端部間の基準点と、請求項３に記載された建築用施工治具の上面の略中心部とを当接させる工程と、
前記建築用施工治具の各位置決め用突起を１本目及び２本目の各位置決め兼用水抜き穴と、前記建築用施工治具の各ボルト逃げ穴を１本目及び２本目の左右の各剣先ボルトにそれぞれ挿通させる工程と、
前記２本目が前記長手方向中心部の墨出し線に沿っていることを確認した上、２本目の前記建築用吊下げ金具を仮止め溶着させる工程と、
前記建築用施工治具を取外して２本目の前記建築用吊下げ金具を前記取付け面に溶着させる工程と、
前記各建築用吊下げ金具の剣先ボルトに山座金やパッキン、平座金、ナットなどを介して金属製折板材が構築させる工程とからなることを特徴とする建築用施工方法。
【請求項５】
金属製折板材を構築するＨ形鋼の取付け面に、長手方向中心部に沿う横方向の墨出し線とスタート位置を示す墨出し線とを描く工程であって、
２本目以降の前記建築用吊下げ金具に用いる長手方向中心部に沿う横方向の墨出し線は、描かずに不要であることを特徴とする請求項４記載の建築用施工方法。
【発明の詳細な説明】
【０００１】
【発明の属する技術分野】
本発明は、建築用吊下げ金具及びその施工治具並びにその施工方法に係り、さらに詳しく説明すると、建築構造物におけるＨ形鋼などを介して金属製折板材からなる屋根材や壁材が極めて簡易に構築できる建築用吊下げ金具と、この金属製折板材が正確に且つ強固に構築でき、使用法も簡便である施工治具と、さらに、金属製折板材からなる屋根材や壁材の施工が簡易に行える施工方法とに関するものである。
【０００２】
【従来の技術】
従来、建築構造物において、例えば、そのＨ形鋼を介して金属製折板材からなる屋根を構築するには、例えば、図１１に示す構築工法が採用されている。この工法は、図示するように建築構造物におけるＨ形鋼１００のフランジ部１０１に略Ｕ形状の金具体１１０を挟持固定させて、その下部板１１１に垂下状に設けたネジ杆１１２に山座金１２０とフェルトパッキン１２１を介在させて金属製折板材１２５の頂面１２６に設けたネジ穴１２７を通した後、さらに、平座金１２２を介在させて前記ネジ杆１１２の下端部にナット１２３を締着させ、順次隣の頂面１２６ａ・・・を同様に締着させることで、Ｈ形鋼１００に複数の金属製折板材１２５からなる屋根を設置している（実用新案登録第３０１３８０２号公報参照）。なお、金具体１１０の素材は、ある程度の弾性材で構成されており、その開口部１１３は、若干開口するように構成されている。
【０００３】
また、同じ権利者による上記実用新案と同様な技術思想に基づく略Ｕ形状の金具体を基本とする金具が意匠登録として開示されている（意匠登録第７３４８２３号公報、同７３４８２３号の類似１、同第７３９８６６号公報参照）。
【発明が解決しようとする課題】
【０００４】
上記実用新案登録の場合、屋根材の山ピッチに位置決めのための墨出しを行う必要があり、手間がかかる課題があった。また、Ｈ形鋼のフランジ部に金具体を取付けるには、その開口部を挟持させるため、フランジ部の厚みにより開口部が開かずに金具体を挟持させることができないので、その略Ｕ形状の開口部の寸法が異なる複数の金具体を準備する必要があった。
【０００５】
さらに、屋根材の取付けは、Ｈ形鋼の下面を基準にするため、歪みやうねりなどが位置決めの際、直接影響を及ぼしており、屋根材を取付ける際には、微調整を行う必要があるなどの課題があった。また、梁をまたぐ場合には、この金具体は使用できないし、ケバラを使用する場合には、梁を延出させる必要があった。
【０００６】
一方、意匠登録の場合も上記と同様な課題があり、これら課題を解決する必要が依然として残っていった。
【０００７】
【発明が解決しようとする課題】
本発明は、上記課題を解決するためになされたものであり、その目的は、建築構造物におけるＨ形鋼を介して金属製折板材からなる屋根材や壁材が極めて簡易に構築できる構成の建築用吊下げ金具と、この建築用吊下げ金具を取付けて屋根材や壁材を構築する際に使用する施工治具として、金属製折板材が正確、且つ強固に構築でき、その使用法も簡便である治具と、さらに、金属製折板材からなる屋根材や壁材の構築が簡易に行える施工方法とを提供することにある。
【０００８】
【課題を解決するための手段】
本発明に係る請求項１記載の発明は、左右の鍔部と垂下部及び平らな底部から構成する長尺な金属材からなる皿状体であって、前記底部の長手方向に沿って等間隔に先端を尖鋭部とした複数個の剣先ボルトが下方に向けて垂下状に形成さ
れ、前記底部に等間隔に複数個の位置決め兼用水抜き穴が設けられていることを特徴とする。
【０００９】
本発明に係る請求項２記載の発明は、少なくとも一方の鍔部の下面に、皿状体の長手方向の長さ寸法の１／２を示す刻印が施されていることを特徴とする。
【００１０】
本発明に係る請求項３記載の発明は、平面から見て左右両端と中央部とに幅広部を備える帯状体であって、前記各幅広部の上面に複数個の小突起が形成されると共に、前記左右両端の幅広部に続く幅狭部に等間隔の位置決め用突起及びボルト逃げ穴とがそれぞれ形成され、且つ、前記帯状体の下面にハンドルが設けられていることを特徴とする。
【００１１】
本発明に係る請求項４記載の発明は、金属製折板材を構築するＨ形鋼などの取付け面に、長手方向中心部に沿う横方向の墨出し線とスタート位置を示す墨出し線と長手方向に沿う横方向の墨出し線とを描く工程と、前記２つの墨出し線に沿って１本目の建築用吊下げ金具を配して前記取付け面に溶着させる工程と、続く２本目の建築用吊下げ金具を１本目の右端側に前記長手方向の墨出し線に沿わせて配する工程と、隣接し合う１本目及び２本目との建築用吊下げ金具の端部間の基準点と施工治具の上面の略中心部とを当接させる工程と、前記施工治具の各位置決め用突起を１本目及び２本目の各位置決め兼用水抜き穴と、前記施工治具の各ボルト逃げ穴を１本目及び２本目の左右の各剣先ボルトにそれぞれ挿通させる工程と、前記２本目が前記長手方向中心部の墨出し線に沿っていることを確認した上、２本目の建築用吊下げ金具を仮止め溶着させる工程と、前記施工治具を取外して２本目の建築用吊下げ金具を前記取付け面に溶着させる工程と、各建築用吊下げ金具の剣先ボルトに山座金やパッキン、平座金、ナットなどを介して金属製折板材が構築させる工程とからなることを特徴とする。
【００１２】
本発明に係る請求項５記載の発明は、金属製折板材を構築するＨ形鋼などの取付け面に、長手方向中心部に沿う横方向の墨出し線とスタート位置を示す墨出し線とを描く工程であって、２本目以降の建築用吊下げ金具に用いる長手方向中心部に沿う横方向の墨出し線は、描かずに不要であることを特徴とする。
【００１３】
【作用】
本発明に係る建築用吊下げ金具によれば、建築用吊下げ金具に等間隔に形成させた剣先ボルトを介して金属製折板材の頂面に等間隔に設けられたネジ穴に山座金などで締着できるため、建築構造物におけるＨ形鋼などの取付け面に金属製折板材からなる屋根材や壁材の構築が簡易に行える。また、皿状体構成の建築用吊下げ金具内に雨水が浸入しても、その底部に複数個の位置決め兼用水抜き穴が設けられているため、雨水が溜まることがなくなり、建築用吊下げ金具の腐敗が防げる。
【００１４】
本発明に係る建築用施工治具によれば、この施工治具には、等間隔に位置決め用突起とボルト逃げ穴とが形成されていること共に、少なくとも２本目用の墨出し線が取付け面の長手方向中心部に描いてあるため、２本目の建築用吊下げ金具は勿論のこと、３本目以降も施工治具を使用することにより取付け面に対して正確に行える。また、施工治具の小突起により建築用吊下げ金具の横方向のズレが防げるし、この施工治具に幅狭部を設けたことにより、施工治具の軽量化と施工時の建築用吊下げ金具に対する仮止め溶接が簡易に行えること及び幅狭部による建築用吊下げ金具の取付け位置が正確に真直ぐに延出しているかを作業者が目視でき、従って正確な金属製折板材の構築ができる。
【００１５】
本発明に係る建築用施工方法によれば、１本目の建築用吊下げ金具は、長手方向中心部に沿う墨出し線とスタート位置を示す墨出し線とを描く工程で、取付け面に正確に固着できる。２本目は長手方向中心部に沿う墨出し線と隣接し合う１本目と２本目とに、その位置決め用突起と位置決め兼用水抜き穴及びボルト逃げ穴と剣先ボルトとを挿通させると工程などで、建築用吊下げ金具は同様に取付け面に正確に固着できる。また、３本目以降は長手方向中心部に沿う墨出し線が、存在しなくても施工治具を使用ことで同様に取付け面に建築用吊下げ金具が正確に固着できる。
【００１６】
【発明の実施の形態】
以下、本発明の実施形態を図面を参照して説明する。図１は、本発明に係る建築用吊下げ金具の第１例を示す斜視図、図２は、同第１例の裏面を示す斜視図、図３は同第１例の使用状態を示す斜視図、図４は、建築用吊下げ金具の第２例を示す斜視図、図５は、同第２例の使用状態を示す要部断面図、図６は、本発明に係る施工治具の第１例を示す斜視図、図７（イ）から（ホ）は、同第１例の使用状態を順次示す説明図、図８は、図７（ニ）の状態を示す一部断面説明図、図９は、同施工治具の第２例を順次示す斜視図、図１０（イ）から（ホ）は、同第２例の使用状態を順次示す説明図である。
【００１７】
最初に、建築用吊下げ金具１について説明する。この建築用吊下げ金具１は、図１〜図３に図示するように所定の長さを備える長尺な金属材からなる皿状体２で形成されている。つまり、この皿状体２は、左右の鍔部２０，２０と垂下部２１，２１及び平らな底部２２を備える断面形状が皿状体２に形成され、底部２２に先端を尖鋭部２３としたボルト２４（以下、剣先ボルトと云う）が３個等間隔に、尖鋭部２３を下方に向けて垂下状に設けられている。さらに、底部２２の両端から等間隔に４個の位置決め兼用水抜き穴２５，２６が設けられ、この内、両端の水抜き穴２６は、小形状に形成されているが、同じ形状の大きさでもよいこと勿論である。
【００１８】
この皿状体２の材質は、金属材であればよく、例えば、亜鉛メッキ鋼板や高耐性圧延鋼材、着色亜鉛鉄板、溶融アルミニウムメッキ鋼板及び塗装ステンレス鋼板などの金属材が好ましい。
【００１９】
上記水抜き穴２５，２６は、４個形成されており、図示のように等間隔に設けることが好ましいが、特に、両端の小形状の水抜き穴２６の穴は、必ずしも円形状の穴に限定されるものではない。また、皿状体２の中央部を示す目印として、鍔部２０の下面２０１に刻印２７が刻んであるが、必ずしも鍔部２０の下面２０１に限定されるものでもなく、図示省略するが、鍔部２０の下面２０１から上面２００に連続状に続けて刻印２７してもよい。
【００２０】
上記建築用吊下げ金具１の使用方法を説明する。図３に示すようにＨ形鋼３の下方のフランジ部３０の下面３１に、Ｈ形鋼３に構築する屋根の大きさに応じて複数個の建築用吊下げ金具１をその上面２００とフランジ部３０の下面３１とを当接させ、この鍔部２０の上面２００とフランジ部３０の下面３１との所定個所に複数個の溶接３２，３２，…を施して建築用吊下げ金具１をフランジ部３０に固着させることにより、金属製折板材５が取付けられる。
【００２１】
詳しくは、建築用吊下げ金具１の剣先ボルト２４に図示する山座金５３とフェルトパッキン５４とを介在させて金属製折板材５の頂面５０に設けたネジ穴５５（図示省略）を通した後、平座金５６を介在させて前記剣先ボルト２４の下端部にナット５６を締着させ、順次隣の頂面５０，５０，・・・に同様に剣先ボルト２４を締着させることで、Ｈ形鋼３のフランジ部３０の下面３１に固着させた複数個の建築用吊下げ金具１を介して金属製折板材５が構築されている。この頂面５０のネジ穴５５（図示省略）は、予め事前に金属製折板材５の各頂面５０にそれぞれ形成されており、定められた取付けピッチで穴５５が開けられている。
【００２２】
この建築用吊下げ金具１は、通称８８タイプと称する三つ山からなる金属製折板構成の屋根材５に対応させるものであり、図示のように屋根材は、頂面５０と底面５１及び傾斜面５２とで形成されている。
【００２３】
図４及び図５に示す建築用吊下げ金具１０は、上記建築用吊下げ金具１とは剣先ボルト２４の数が異なっており、この例では、皿状体２に２個の剣先ボルト２４が等間隔に設けてある。また、３個の位置決め兼用水抜き穴２５が形成されており、この水抜き穴２５は、等間隔に設けてあることが好ましい。
【００２４】
さらに、この皿状体２の中央部を示す目印として、上記と同様に鍔部２０の下面２０１に刻印２７（図示省略）が刻んであるが、この刻印２６の位置は、鍔部２０の下面２０１に限定されるものでもなく、鍔部２０の下面２０１から上面２００に連続状に続けて刻印２７してもよい。
【００２５】
この建築用吊下げ金具１０は、通称１５０タイプと称する二つ山からなる折板構成の金属製折板材５ａに使用される屋根材である。図５に示すように、剣先ボルト２４に山座金５３とフェルトパッキン５４とを介在させて金属製折板材５ａの頂面５０に設けたネジ穴５５を通した後、平座金５６を介在させて剣先ボルト２４の下端部にナット５７を締着させて、Ｈ形鋼３のフランジ部３０の下面３１に建築用吊下げ金具１０が固着されている。
【００２６】
次に、施工治具４について説明する。図６に示す施工治具４は、上記する８８タイプの金属製折板構成の屋根材５に適用できるものである。つまり、平面から見て左右両端部と中央部とが幅広部４１，４２を備える所定厚みの帯状体４３からなり、左右及び中央部の幅広部４１，４２の上面に複数個の小突起４４，４４…が設けてあり、左右の幅広部４１，４１の近傍に位置する幅狭部４５の上面に位置決め用の突起４６，４６がそれぞれ設けてある。また、この左右の幅狭部４５，４５の近傍に建築用吊下げ金具１の剣先ボルト２４が挿通するボルト逃げ穴４７，４７がそれぞれ設けられている。４８は、下面の中央部に設けられたハンドルであり、このハンドル４８の両端部のネジ部には、それぞれナット４８０が締着させ、このナット４８０が小穴４９に挿通させてハンドル４８が設けられている。
【００２７】
さらに、この施工治具４を使用した施工方法を図７及び図８により説明する。目的とする屋根材を構築する、例えば、Ｈ形鋼３のフランジ部３０の下面３１には、その建築用吊下げ金具１の長手方向中心部に沿う横方向に延びる墨出し線３００（図７のイ）と、建築用吊下げ金具１のスタート位置を示す縦方向の墨出し線３０１（図７のロ）とが描かれている工程が示されている。なお、この墨出し線３００及び３０１を描く順序は、前記と逆でもよい。なお、このスタート位置には、建築用吊下げ金具１の端部若しくはこの建築用吊下げ金具１の刻印２７を縦方向の墨出し線３０１に合致させればよい。
【００２８】
そして、この墨出し線３００及び３０１をスタート位置として、この墨出し線３００及び３０１に沿わせて建築用吊下げ金具１を、その左端部と中心部とを墨出し線３００及び３０１に揃えて鍔部２０，２０の上面２００をフランジ部３０の下面３１に密に当接させ、この当接部の複数個所に溶接３２，３２，…を施して建築用吊下げ金具１を固着させる（図７のハ）工程がある。
【００２９】
続いて、この固着された建築用吊下げ金具１の右隣りに、左端部を配するように次の建築用吊下げ金具１ａを作業者が把持して、鍔部２０，２０の上面２００とフランジ部３０の下面３１とを当接させる。そして、この左右の建築用吊下げ金具１，１ａの隣り合う隣接部２８と、作業者が把持している施工治具４の略中央部とを合致させて、施工治具４の上面を建築用吊下げ金具１，１ａに重ね合わせ、両位置決め突起体４６，４６の先端部を建築用吊下げ金具１，１ａのそれぞれ左右の位置決め兼用水抜き穴２５，２５に挿通させる。これとと共に、建築用吊下げ金具１，１ａの両剣先ボルト２４，２４を左右のボルト逃げ穴４７，４７に挿通させて、２本目の建築用吊下げ金具１ａの取付け位置が墨出し線３０１に沿って正確に位置決めされているかを作業者が目視する工程を行う。
【００３０】
次に、作業者が正確な位置決めであることを確認できたら、この施工治具４から露出している鍔部２０の部分に仮止めの溶接３２ａ，３２ａ（図７のニ）を行う工程がある。その後、施工金具４を建築用吊下げ金具１，１ａから外した後、２本目の建築用吊下げ金具１ａに残る部位に正確な複数個の溶接３２，３２を施す（図７のホ）工程を経て、以下同様な作業を繰り返すことにより、目的の建築用吊下げ金具１，１ａ，…をＨ形鋼３のフランジ部３０に固着させることができる。なお、墨出し線３０１は、１本目及び２本目の建築用吊下げ金具１，１ａ用としては必ず必要であるが、３本目以降には必ずしも必要なものではなく、その使用は任意である。
【００３１】
このように目的の建築用吊下げ金具１，１ａ，…を複数個、Ｈ形鋼３のフランジ部３０などの取付け面に正確に固着させた後、この建築用吊下げ金具１，１ａ…に突設されている剣先ボルト２４，２４，…を金属製折板材５の各頂面５０に形成されているネジ穴５５にそれぞれ通した上、山座金５３及びフェルトパッキン５４，平座金５６，ナット５７などを介在させて金属製折板材５が構築させられる。
【００３２】
図９に示す施工治具４０は、図６に示す施工治具４と基本的に同じ構成であるため、同じ構成は図６に示す符号と同じ符号を付し、これと異なる構成を説明する。この施工治具４０は、上記のように通称１５０タイプと称する二つ山からなる折板構成の金属製折板材５ａに適用されるものである。つまり、中央部の幅広部４２の両端近傍に位置する左右の幅狭部４５，４５に位置決め用突起４６０，４６０がそれぞれ設けてあり、上記施工治具４と異なって、左右の幅広部４１の近傍には、ボルト逃げ穴４７，４７がそれぞれ設けられている。
【００３３】
次に、上記施工治具４０の使用した施工方法を説明する。この方法は、上記施工治具４と基本的に同じ構成であるため、同様に同じ構成は同一符号を付して構成を説明する。所定の金属製折板材５ａを構築するために、例えば、Ｈ形鋼３のフランジ部３０の下面３１には、複数個の建築用吊下げ金具１０のスタート位置を示す縦方向の墨出し線３００（図１０のイ）と、中央長手方向に沿う横方向に延びる墨出し線３０１（図１０のロ）とが描かれている工程を備えている。
【００３４】
この墨出し線３００及び３０１に沿わせて建築用吊下げ金具１０の左端部と中心部とを揃えて、鍔部２０，２０の上面２００がフランジ部３０の下面３１に密に当接され、この当接部の複数個所に溶接３２，３２，…を施した建築用吊下げ金具１０が固着されている工程（図１０のハ）を備えている。
【００３５】
この固着された建築用吊下げ金具１０の右隣りに、次の建築用吊下げ金具１０ａの左端部が配するように、鍔部２０，２０の上面２００とフランジ部３０の下面３１とを当接させる。この左右の建築用吊下げ金具１０，１０ａが隣り合う隣接部と、施工治具４０の略中央部とを合致させ、施工治具４０の上面と隣接する建築用吊下げ金具１０，１０ａとを重ね合わせ、その位置決め突起４６，４６の先端部を建築用吊下げ金具１０，１０ａの左右の位置決め兼用水抜き穴２５，２５にそれぞれ挿通させる。これと共に、建築用吊下げ金具１０，１０ａの両剣先ボルト２４，２４に左右のボルト逃げ穴４７，４７をそれぞれ挿通させて、次の２本目の建築用吊下げ金具１０の取付け位置が墨出し線３０１に沿って正確に位置決めされていることを確認した後、この施工治具４０から露出している次の建築用吊下げ金具１０ａの鍔部２０，２０の部分に仮止めの溶接３２ａ，３２ａ（図１０のニ）を行う工程を備えている。
【００３６】
その後、施工治具４０を建築用吊下げ金具１０，１０ａから外し、次の２本目の建築用吊下げ金具１０ａの残る部位に正確な複数個の溶接３２，３２（図１０のホ）を施す工程を経て、以下同様な作業を繰り返すことにより、建築用吊下げ金具１０，１０ａ，…がＨ形鋼３のフランジ部３０に固着させ、上記建築用吊下げ金具１，１ａと同様に金属製折板材５ａが構築される工程を備えている。
【００３７】
このように施工治具４，４０を使用することにより、金属製折板材からなる屋根材や壁材の施工が極めて簡易に構築できる施工方法である。
【００３８】
【発明の効果】
本発明は、上記構成であるから、次のような効果がある。
本発明に係る建築用吊下げ金具によると、その建築用吊下げ金具に等間隔に形成させた剣先ボルトで、金属製折板材の屋根材や壁材の頂面に設けられたネジ穴を介して山座金やパッキン材などで気密性を保って締着できるため、建築構造物におけるＨ形鋼などの取付け面に屋根材や壁材の構築が簡易に行える。
【００３９】
本発明に係る建築用吊下げ金具の底部には、複数個の位置決め兼用水抜き穴が設けられているから、雨水が浸入しても溜まることがなくなり、建築用吊下げ金具の腐敗を防ぐことができる。
【００４０】
本発明に係る建築用施工治具によると、その施工治具には、等間隔に位置決め用突起とボルト逃げ穴とが形成され、さらに、少なくとも２本目用の墨出し線が取付け面の長手方向に描いてあるから２本目の建築用吊下げ金具は勿論のこと、３本目以降も施工治具を使用することで、取付け面に対して建築用吊下げ金具の取付けが正確に行える。
【００４１】
しかも、施工治具の小突起により建築用吊下げ金具の横方向のズレが防げるから、その施工治具に幅狭部を設けたことで、施工治具の軽量化や施工時の建築用吊下げ金具に対する仮止め溶接が簡易に行えるし、幅狭部による建築用吊下げ金具の取付け位置が正確に真直ぐに延出しているかを作業者が目視できるから正確な金属製折板材の構築ができる。
【００４２】
本発明に係る建築用施工方法によると、１本目の建築用吊下げ金具は、長手方向中心部に沿う墨出し線とスタート位置を示す墨出し線とを描く工程を備えているから取付け面に正確に建築用吊下げ金具が固着できる。
【００４３】
また、２本目は長手方向中心部に沿う墨出し線と隣接し合う１本目と２本目とに、その位置決め用突起と位置決め兼用水抜き穴及びボルト逃げ穴と剣先ボルトとを挿通させると工程などで、建築用吊下げ金具は同様に取付け面に正確に固着できる。さらに、３本目以降は長手方向中心部に沿う墨出し線が、存在しなくても施工治具を使用する工程とで同様に取付け面に正確に建築用吊下げ金具が固着できる。
【図面の簡単な説明】
【図１】  本発明に係る建築用吊下げ金具の第１例を示す斜視図である。
【図２】  同第１例の裏面を示す斜視図である。
【図３】  同第１例の使用状態を示す斜視図である。
【図４】  建築用吊下げ金具の第２例を示す斜視図である。
【図５】  同第２例の使用状態を示す要部断面図である。
【図６】  本発明に係る施工治具の第１例を示す斜視図である。
【図７】  （イ）から（ホ）は、同第１例の使用状態を順次示す説明図である。
【図８】  図７（ニ）の状態を示す一部断面説明図である。
【図９】  同施工治具の第２例を順次示す斜視図である。
【図１０】（イ）から（ホ）は、同第２例の使用状態を順次示す説明図である。
【図１１】従来の構築工法を示す斜視図である。
【符号の説明】
１          建築用吊下げ金具
４          施工治具
２０        鍔部
２１        垂下部
２２        底部
２３        尖鋭部
２４        剣先ボルト
２５，２６  位置決め兼用水抜き穴
【図１】
0003896537.tif 000002
【図２】
0003896537.tif 000003
【図３】
0003896537.tif 000004
【図４】
0003896537.tif 000005
【図５】
0003896537.tif 000006
【図６】
0003896537.tif 000007
【図７】
0003896537.tif 000008
【図８】
0003896537.tif 000009
【図９】
0003896537.tif 000010
【図１０】
0003896537.tif 000011
【図１１】
0003896537.tif 000012